(57)【要約】【課題】  自らの手から離れた傘を安全に一定の場所に置いておくことを可能とすると共に傘の取り間違いや盗難を防止することを課題とすると共に使用勝手がよいと共に見栄えのよい傘の提供を課題とする。【解決手段】  少なくとも洋傘の柄と紐状物と柄に着脱自在のプラグとを有し、該紐状物の一端が洋傘の柄に連設すると共に該紐状物の他端がプラグと連設し、該紐状物の一部又は全部を露出した状態で該プラグを柄に装着した上で施錠可能である洋傘によって解決できる。【選択図】    図３
2005253718.tif 000002
【特許請求の範囲】
【請求項１】
少なくとも洋傘の柄１と紐状物５と柄１に着脱自在のプラグ２とを有し、
該紐状物５の一端が洋傘の柄１に連設すると共に該紐状物５の他端がプラグ２と連設し、該紐状物５の一部又は全部を露出した状態で該プラグ２を柄１に装着した上で施錠可能であることを特徴とする洋傘。
【請求項２】
柄１とプラグ２との着脱自在の装着にダイヤルロック３を用い、該ダイヤルロック３により柄１にプラグ２を装着状態で施錠可能であることを特徴とする請求項１記載の洋傘。
【請求項３】
柄１に空洞１０を有し、該空洞１０内に紐状物５を収納可能であると共に紐状物５の一端が該空洞１０内に連設し、該柄１の空洞１０の開口部１１をプラグ２で閉鎖可能であることを特徴とする請求項１又は２のいずれかに記載の洋傘。
【請求項４】
紐状物５がカールコードであることを特徴とする請求項１乃至３のいずれかに記載の洋傘。
【請求項５】
紐状物５がワイヤーコードであることを特徴とする請求項１乃至４のいずれかに記載の洋傘。
【請求項６】
紐状物５が樹脂製コードであることを特徴とする請求項１乃至４のいずれかに記載の洋傘。
【発明の詳細な説明】
【技術分野】
【０００１】
本発明は洋傘の柄に紐状物の一端を連設すると共に該紐状物の他端をプラグに連設して、該紐状物を外部に露出して付近の物に巻き付け又は絡めた上で柄にプラグを装着した上で施錠可能な洋傘であり、傘の盗難を防止する事のできる洋傘に関する。
【背景技術】
【０００２】
従来より、洋傘は雨の日に持ち歩いた際、例えば店内等の屋根のある場所に入る際には入り口の傘立てなどに無造作に傘をおいておくことが多々あり、室内で用事を終え外部に出る際に自分の傘と他人の傘とを取り間違ってしまい、誤って他人の傘を持ち帰ってしまうことがある。
更に、例えば不特定人が出入りする場所においては、入り口等の傘立てに無造作におかれた傘を他人が持っていってしまうこともあり得る。
この場合、自ら傘をとり間違えないよう又は盗難されないように気を付けていることが必要であった。
【０００３】
これに対して、この様な取り間違いや盗難防止を図るためにロック機構を有する傘立てが一般的によく知られている。
特に、設備の整った場所等においてはロック機構を有する傘立てが多用され、傘の取り間違いや盗難を防止しているものである。
【発明の開示】
【発明が解決しようとする課題】
【０００４】
しかし、大多数の場所においては、この様な費用の掛かる傘立てを用意していないものであり、単に傘を立て掛けておける傘立てのみを有しているものである。  従って、不特定多数の人が集まる場所であっても傘立てに傘を立て掛けておかなければならない場合も多く、この様な場合には取り間違いや盗難が生じ得る事になってしまう。
例えばこれらを防ぐためには雨水に湿った傘を常時手にしておくことが必要であり、大変手間の掛かるものとなるばかりでなく、室内に雨で濡れた傘を持ち歩かなければならないことから室内を汚してしまうこととなってしまう。
従って、自らの手から離れた傘を安全に一定の場所に置いておくことを可能とすると共に傘の取り間違いや盗難を防止するための何等かの方策が望まれていた。
【課題を解決するための手段】
【０００５】
本発明は上記課題を解決するものであり、傘を一定の場所に置いておくことを可能とすると共に置いておいた傘を他人が誤って持っていってしまうことを防止すると共に盗難をも防止できる洋傘の提供を行うものである。
係るため請求項１に記載の発明は、少なくとも洋傘の柄と紐状物と柄に着脱自在のプラグとを有し、該紐状物の一端が洋傘の柄に連設すると共に該紐状物の他端がプラグと連設し、該紐状物の一部又は全部を露出した状態で該プラグを柄に装着した上で施錠可能である洋傘であり、係る発明によって前記課題を解決できる。
或いは請求項２に記載の発明のように柄とプラグとの着脱自在の装着にダイヤルロックを用い、該ダイヤルロックにより柄にプラグを装着状態で施錠可能である洋傘を用いることにより、施錠及び解錠を簡単に行うことができる。
【０００６】
この他請求項３に記載の発明のように柄に空洞を有し、該空洞内に紐状物を収納可能であると共に紐状物の一端が該空洞内に連設し、該柄の空洞の開口部をプラグで閉鎖可能である洋傘によって紐状物を体裁よく収納して洋傘の使用時の便宜が図れる。
これらの場合請求項４に記載の発明の様に紐状物がカールコードであっても、或いは請求項５に記載の発明の様に紐状物がワイヤーコードであっても、また請求項６記載の発明のように紐状物が樹脂製コードであってもよい。
【発明の効果】
【０００７】
この様に構成したことにより、請求項１に係る発明によって傘の柄に連設している紐状物で付近の物に巻き付け又は絡めることができ、更に紐状物の他端で連設しているプラグを柄に装着した上で施錠することにより、該紐と付近の物との巻き付け又は絡める事により施錠を解錠しない限り他人が該傘を他の場所に持っていくことができず傘の取り間違いや盗難を防止できるという第一の効果を有する。
更に傘に連設した紐状物、更にこれに連設したプラグによって傘の盗難防止が可能であることから持ち運びが便利でかつ使い勝手のよいという第二の効果を有する。
又、請求項２に係る発明によれば柄とプラグとの着脱自在の装着にダイヤルロックを用いることができ、簡単にロック即ち施錠を行えると共に解除ダイアルを回すことにより簡単に解錠できるという効果を有する。
【０００８】
更に、請求項３に係る発明によれば、柄の空洞内に紐状物を収納可能となり、紐状物の不要時には柄内にしまっておけ、傘の使い勝手を低減する事がないばかりでなく見栄えのよい傘の提供ができるという効果を有する。
更に、該柄の空洞の開口部をプラグで閉鎖可能とすることにより、紐状物の密閉の度合いを高めることができる。
又、紐状物として請求項４に係る発明のようにカールコードを用いることにより不要時にはカールとして収納の便宜が図れると共に必要時にはカールを延ばして長い紐状物として用いることができ、極めて使い勝手のよい紐状物の提供ができるという効果を有する。
【０００９】
更に請求項５に係る発明のように紐状物としてワイヤーコードを用いることにより、コードの強度を増すことができ、盗難防止の確率を高めることができるという効果を有する。
或いは請求項６に係る発明のように紐状物として樹脂製コードを用いることによってコードの取扱の容易な紐状物の提供が図れるという効果を有する。
【発明を実施するための最良の形態】
【００１０】
次に本発明の最良の一形態の例を図１に示す。
図１は本発明に係る洋傘の柄１の一端にプラグ２を装着し、ダイヤルロックで施錠可能としている状態を示す柄の部分の拡大図である。
該プラグ２は柄１の一端に装着されており、この柄１から着脱自在となっている。
本図では明示していないが、柄１の内部には空洞１０を有し、空洞１０内には紐状物５がその一端を柄の内部と連設し、他端をプラグ２の空洞内部方向の面で連設している。
従って、プラグ２を外すことにより紐状物５が露出する。
該プラグ２の外側面には孔２１を有しており、この孔２１から露出した紐状物５が外部に出ると共に空洞１０内部と繋がるものとなる。
この場合この孔２１には紐状物５を押さえる押さえ部を有し、紐状物５が内部より引き出されるのを防止する。
【００１１】
このプラグ２は、柄１の部分との間にダイヤルロック３を有しており、ダイヤルロック３を回すことにより施錠状態とすることができプラグ２の取り外しを行えなくする。
更に解除ダイヤルを回す事により解錠状態となってプラグ２の取り外しが可能となる。
本図に示すダイヤルロック３は一般的に多用されているダイヤルロックであればよく、本図に示す例は一例であって、ベゼル部が複数連のものを使用しても、或いは数字を明示したものでなく図柄等を明示したもの等であってもよい。
更に本図はダイヤルロックを示すが、一般的な鍵によって施錠及び解錠が可能な鍵部材を用いたものであってももちろんよい。
【００１２】
図２は、図１の状態からプラグ２を取り外して、紐状物５を取り出した状態を示す図である。
この様な柄１内部に収納していた紐状物５を取り出すことにより、この紐状物５を付近のものに絡める等をすることができる。
更に収納時には図１に示すように何等傘の使用に不都合が出るものではない。  図３は、付近の棒６などに紐状物５を掛け回した上、プラグ２を柄１に装着した状態を示す図である。
紐状物５の一端方向はプラグ２の孔２１から外部に出ていると共に他端方向はプラグ２の孔２１から柄１内に収納されている。
【００１３】
この場合、該孔２１内に紐状物５をその位置で係止する押さえ部があり、この状態での紐状物５の更なる引き出し等を防止できるものが望ましい。
この様に構成し、プラグ２を柄１に装着した上で施錠することによって紐状物５により傘は棒６からはずすことができなくなり、盗難等を防止できると共に安全に傘を置いておくことができる。
この場合、本図のダイヤルロック３を用いた場合には、解錠ダイヤルを回すことにより、プラグ２が柄１から取り外せることとなり、紐状物５の掛け回しを解くことにより、傘を棒６から離すことができる。
【００１４】
更には例えば図１に示す様に柄１内部に紐状物５を収納した上でプラグ２をこの開口部１１に装着することができ、傘を通常通り使用できる。
図４は、柄１内部に紐状物５を収納し、更にプラグ２で開口部１１を閉鎖した状態を示す柄１内部の断面図を示す図である。
本図に示す通り、柄１内部は紐状物５が収納可能な空洞１０を有し、紐状物５であるカールコードが綺麗に収納されている。
このカールコードの一端は柄１内部１０に連設していると共にカールコードの他端はプラグ２の柄内部方向に位置する部位で連設されている。
このプラグ２との連設部分は連設部が受け軸２２によって回転可能に軸支されておりカールコードの連設方向をプラグ２内で可動である。
【００１５】
該プラグ２内には空間を有し、これがカールコード５の外部露出部と内部収納部とを挿通可能とする孔２１に該当する。
尚、本図ではカールコードを一定位置で押さえる押さえ部は明示していないが、凸状物や孔の大きさでの調整等を行うことにより露出しているコードと収納しているコードとの長さの変動を防止するものであってもよい。
更に、プラグ２が柄１の開口部１１を封鎖する状態で装着しており、柄１とプラグ２間にはダイヤルロック３が配設されている。
次に、本図では紐状物５は柄１内部に収納可能とする一例を示すが、この形態に限らず例えば柄１に紐状物５を巻回し、この巻回を解いて紐状物５を延ばすことができ、この紐状物５を付近の物などに掛け回す等した上で、プラグ２で一定範囲で外した紐状物５をそれ以上外すことでできなくなるようにプラグ２が柄１に装着するものであってもよい。
【００１６】
或いはプラグ２内部に紐状物５が収納されているものであってもよい。
少なくとも洋傘の柄１と紐状物５と柄１に着脱自在のプラグ２とを有し、該紐状物５の一端が洋傘の柄１に連設すると共に該紐状物５の他端がプラグ２と連設し、該紐状物５の一部又は全部を露出した状態で該プラグ２を柄１に装着した上で施錠可能であればよい。
尚、紐状物５は紐状のものであればよく、カールコードやワイヤーコード或いは樹脂製コード等であればよいものであって、紐状物として一般的に用いられているものであればよい。
図５は、プラグ２及びダイヤルロック３の拡大図であり、ダイヤルロック３のダイヤル３０を回すことにより内ダイヤルに連設したロック部３１がプラグ２の突起部２３に係止し、プラグ２をその位置から外れないように係止することとなる。
更にダイヤルロック３のダイヤルで解除ダイヤルを回す事により内ダイヤルに連設したロック部３１が移動してプラグ２の突起部２３との係止を外し、プラグ２の取り外しを可能とする。
【００１７】
図６は、プラグ２がダイヤルロック３に嵌め込まれた状態を示す側面図である。  この様にダイヤルロック３のダイヤルの数字をインジケータ３５に合わせることにより所定の解除ダイヤルを回すことが可能となる。
尚、解除ダイヤルは一般的なものであればよく左右方向に任意の回数回したり、或いは複数の数字を順次合わせて行くことにより解錠ダイヤルとなるもの等いずれのものであってもよい。
又、前述のように複数連のダイヤルを有するものであっても、或いは数字に代え図柄等を示したものであってもよい。
更には本図ではダイヤルロック３を示すが、解除キーを有し、鍵穴に解除キーを差し入れて回転させることによるいわゆるシリンダー錠等を用いたものであってもよく、少なくともプラグ２が施錠可能な鍵であればよい。
【００１８】
図７は図６の上面図であり、プラグ２上部には紐状物５を挿貫可能な孔２１を有している。
更にダイヤルロック３のダイヤル３０は凹凸が設けられており、ダイヤル３０の回転に際して摘みやすく構成しているものである。
図８は、図４の状態からプラグ２を外して紐状物５の一部を露出させた状態を示す図である。
この様に簡単に紐状物５を取り出すことができる。
図９は、一旦露出させた紐状物５を他の付近の物に絡めて、更にプラグ２を再装着した状態を示す断面図である。
【００１９】
この様に紐状物５はプラグ２の孔２１から外部に出て更に孔２１から内部に引き込まれるものである。
従って、紐状物５によって外部の物と取り外し不能な状態になすことができると共に余分な紐状物の部分は柄内部に収納したままとすることができる。
本図には示していないが、プラグ内の紐状物をその位置で係止する押さえ部を有し、これによって更なる紐状物の引き出しが阻止される。
【図面の簡単な説明】
【００２０】
【図１】本発明に係る洋傘の柄の部分の一例を示す図
【図２】本発明に係る洋傘の柄の部分から紐状物を取り出した一例を示す図
【図３】本発明に係る洋傘の紐状物により他の物に絡めて盗難防止を図っている状態の一例を示す図
【図４】本発明に係る洋傘の柄の部分の一例の断面図を示す図
【図５】図４に示すプラグとダイヤルロックの拡大図
【図６】図４に示すプラグとダイヤルロックの側面拡大図
【図７】図４に示すプラグとダイヤルロックの上面拡大図
【図８】図４に示す洋傘の柄の部分からプラグを外した状態を示す図
【図９】本発明に係る洋傘の紐状物により他の物に絡めた上プラグを再装着した状態を示す図
【符号の説明】
【００２１】
１、    柄
１０、  空洞部
１１、  開口部
２、    プラグ
２１、  孔
２２、  軸
２３、  突起部
３、    ダイヤルロック
３０、  ダイヤル
３１、  ロック部
３２、  飾り筒部
３５、  インジケータ
５、    紐状物
６、    棒
【図１】
2005253718.tif 000003
【図２】
2005253718.tif 000004
【図３】
2005253718.tif 000005
【図４】
2005253718.tif 000006
【図５】
2005253718.tif 000007
【図６】
2005253718.tif 000008
【図７】
2005253718.tif 000009
【図８】
2005253718.tif 000010
【図９】
2005253718.tif 000011